(57)【要約】【課題】  ライトストラテジ生成回路がDSP内部に集積化された低コスト型の光ディスク記録装置において、エラーレートを改善し、高品質な記録を実現する。【解決手段】  レーザダイオード（LD）11およびそれを駆動するレーザダイオードドライバ（LDD）9を含んで成る光ピックアップ8と、ライトストラテジ生成回路3および生成されたライトストラテジ信号を伝送するための低電圧差動伝送（LVDS）ドライバ回路4を含んで成る信号処理集積回路装置（DSP）2と、DSP2が実装され、かつ、ライトストラテジ信号を伝送するための線路を有する回路基板1と、回路基板1とLDD9とを接続すると共にライトストラテジ信号を伝送する伝送線路6と、LVDSドライバ回路4の出力の差動間に接続された差動間抵抗5とを備える。特にDSP2の内部のLVDSドライバ回路4の出力の差動間に80〜500Ωの抵抗を挿入する。【選択図】  図１
2009099233.tif 000002
【特許請求の範囲】
【請求項１】
レーザ光を用いて光ディスクにレーザ駆動電流パターンに対応するデータを記録する光ディスク記録装置であって、
前記レーザ駆動電流パターンに対応するに対応する前記レーザ光を発生させるレーザダイオードおよび前記レーザ駆動電流パターンをライトストラテジ信号に基づいて生成して前記レーザダイオードに出力することにより前記レーザダイオードを駆動するレーザダイオードドライバを含んで成る光ピックアップと、
前記レーザ駆動電流パターンに対応する前記ライトストラテジ信号を生成するライトストラテジ生成回路および該ライトストラテジ生成回路にて生成された前記ライトストラテジ信号を伝送するための差動伝送ドライバ回路を含んで成る信号処理集積回路装置と、
前記信号処理集積回路装置が実装され、かつ、前記ライトストラテジ信号を伝送するための線路を有する回路基板と、
前記回路基板と前記レーザダイオードドライバとを接続すると共に前記ライトストラテジ信号を伝送する伝送線路と、
前記差動伝送ドライバ回路の出力の差動間に接続された差動間抵抗と
を備えて成ることを特徴とする光ディスク記録装置。
【請求項２】
請求項１において、
前記差動間抵抗が、前記信号処理集積回路装置を搭載した前記回路基板上に設けられていることを特徴とする光ディスク記録装置。
【請求項３】
請求項１において、
前記差動間抵抗が前記信号処理集積回路装置の内部に設けられていることを特徴とする光ディスク装置。
【請求項４】
請求項１において、
前記伝送線路はフレキシブルプリントケーブルによって構成されていることを特徴とする光ディスク記録装置。
【請求項５】
請求項１において、
前記伝送線路はフレキシブルフラットケーブルによって構成されていることを特徴とする光ディスク記録装置。
【請求項６】
請求項１において、
前記差動間抵抗の抵抗値は、80Ω〜500Ωの範囲内の所定の値であることを特徴とする光ディスク記録装置。
【請求項７】
レーザ光を用いて光ディスクにレーザ駆動電流パターンに対応するデータを記録する光ディスク記録装置であって、
前記レーザ駆動電流パターンに対応するライトストラテジ信号を生成するライトストラテジ生成回路および該ライトストラテジ生成回路にて生成された前記ライトストラテジ信号を伝送するための差動伝送ドライバ回路を含んで成る信号処理集積回路装置と、
前記信号処理集積回路装置が実装され、かつ、前記ライトストラテジ信号を伝送するための線路を有する第１の回路基板と、
前記レーザ駆動電流パターンに対応する前記レーザ光を発生させるレーザダイオードおよび前記ライトストラテジ信号に基づいて前記レーザ駆動電流パターンを生成して前記レーザダイオードに出力することにより前記レーザダイオードを駆動するレーザダイオードドライバを含んで成る光ピックアップと、
前記第１の回路基板と前記光ピックアップとの間に設けられ、かつ、前記光ディスクを回転させるモータを駆動するモータ駆動回路が実装された第２の回路基板と、
前記第１の回路基板と前記第２の回路基板とを接続すると共に前記ライトストラテジ信号を前記第１の回路基板側から前記第２の回路基板側へ伝送する第１の伝送線路と、
前記第２の回路基板と前記レーザダイオードドライバとを接続すると共に前記ライトストラテジ信号を前記第２の回路基板側から前記レーザダイオードドライバへ伝送する第２の伝送線路と、
前記差動伝送ドライバ回路の出力の差動間に接続された差動間抵抗と
を備えて成ることを特徴とする光ディスク記録装置。
【請求項８】
請求項７において、
前記差動間抵抗が、前記信号処理集積回路装置を搭載した前記回路基板上に設けられていることを特徴とする光ディスク記録装置。
【請求項９】
請求項７において、
前記差動間抵抗が前記信号処理集積回路装置の内部に設けられていることを特徴とする光ディスク装置。
【請求項１０】
請求項７において、
前記第１および第２の伝送線路の少なくとも一方はフレキシブルプリントケーブルによって構成されていることを特徴とする光ディスク記録装置。
【請求項１１】
請求項７において、
前記第１および第２の伝送線路の少なくとも一方はフレキシブルフラットケーブルによって構成されていることを特徴とする光ディスク記録装置。
【請求項１２】
請求項７において、
前記差動間抵抗の抵抗値は、80Ω〜500Ωの範囲内の所定の値であることを特徴とする光ディスク記録装置。
【発明の詳細な説明】
【技術分野】
【０００１】
本発明は、光ディスク記録装置に関し、特に、ライトストラテジ信号波形からレーザ駆動電流パターンを生成して光ディスクにデータを記録する高速記録対応の光ディスク記録装置に関する。
【背景技術】
【０００２】
従来、光ディスク記録装置に関する技術として、信号処理集積回路装置（DSP：Digital Signal Processor）内でライトストラテジ信号を生成し、レーザダイオードドライバ（LDD：Laser Diode Driver）へ差動伝送する技術が開示されている（例えば、特許文献１および２参照）。
【０００３】
【特許文献１】特開２００７−１４１４０６号公報
【特許文献２】特開２００６−１２０２５２号公報
【発明の開示】
【発明が解決しようとする課題】
【０００４】
図６はライトストラテジを適用したことにより記録波形およびそれに対応する記録マークにどのような影響を与えるかを示す図である。(a)はライトストラテジを適用する前の波形の例、(b)は(a)のときの記録マークの例、(c)はライトストラテジを適用した波形の例、(d)はライトストラテジを適用した波形の例、(e)は(c)(d)の記録マークの例、(f)はライトストラテジ波形にジッタが生じた時の波形の例、(g)は(f)の時の記録マークの例である。
【０００５】
光ディスク記録装置ではデータを光ディスクへ記録する時、レーザダイオード（LD：Laser Diode）の駆動電流波形に図６の(a)のような波形を用いると、図６の(b)のように熱分布が集中する箇所に記録マークやエッジに歪みが生じ、データ読み込み時にエラーが起こる。この問題を解決するため光ディスク記録装置では、ライトストラテジ波形と呼ばれる図６の(c)、(d)のLD駆動電流波形を用いて、記録時に生じる熱分布を制御し、図６の(e)のような記録マークを実現する。
【０００６】
ライトストラテジ波形は、従来の高速記録対応の光ディスク装置では、図１１のように、信号処理LSI（DSP ： Digital Signal Processor）から記録データとクロックを光ピックアップ（OPU ： Optical Pick Up）内のレーザダイオードドライバ（LDD ： Laser Diode Driver）に伝送し、LDD内で記録データと、PLLで分周したクロックを用いて生成していた。LDに高品質なライトストラテジ波形を供給するため、ライトストラテジ生成回路はLD近傍のLDD内に設置される。このLDDは、電流駆動能力が必要なため微細化が困難なことから、LDDチップ内にライトストラテジ生成のための複雑な回路を設置すると、LDDのチップサイズが大きくなり、高コスト化するという課題があった。
【０００７】
そこで近年では、図１０のようにライトストラテジ生成回路３を、微細化が可能なCMOSで作製するDPS２内に集積化することで、LDD９のチップサイズ縮小、低コスト化を図る手法が取られている。本方式では、DSP２内で生成した３チャネルのライトストラテジ信号は、低電圧差動伝送(LVDS：Low Voltage Differential Signaling)ドライバ回路４から差動出力し、終端抵抗100ΩのLDD９へ伝送される。この３チャネルの信号のオン、オフで、LDD９内の3つの電流源１０をスイッチングして、４値のライトストラテジ波形を実現する。LVDSを用いることで低消費電力化を図ることができる一方、出力インピーダンスが高くなる傾向がある。
【０００８】
DSP２内でライトストラテジ信号を生成し、LDD９へ差動伝送する光ディスク記録装置に関する技術として、特許文献１、２などの技術が開示されている。
【０００９】
ところが、図１０のような構成にした場合、従来の図１１の構成で高品質に記録可能だった高倍速の記録で、記録エラーレートが悪化する問題が起きる。
【００１０】
本発明が解決しようとする課題は、上記DSP内でライトストラテジ信号を生成し、LDDへLVDS伝送する低コストな構成の光ディスク記録装置において、高速記録時のエラーレートを改善することである。
【課題を解決するための手段】
【００１１】
本発明の代表的なものの一例を示せば以下の通りである。すなわち、本発明の光ディスク記録装置は、レーザ光を用いて光ディスクにレーザ駆動電流パターンに対応するデータを記録する光ディスク記録装置であって、前記レーザ駆動電流パターンに対応するに対応する前記レーザ光を発生させるレーザダイオードおよび前記レーザ駆動電流パターンをライトストラテジ信号に基づいて生成して前記レーザダイオードに出力することにより前記レーザダイオードを駆動するレーザダイオードドライバを含んで成る光ピックアップと、前記レーザ駆動電流パターンに対応する前記ライトストラテジ信号を生成するライトストラテジ生成回路および該ライトストラテジ生成回路にて生成された前記ライトストラテジ信号を伝送するための差動伝送ドライバ回路を含んで成る信号処理集積回路装置と、前記信号処理集積回路装置が実装され、かつ、前記ライトストラテジ信号を伝送するための線路を有する回路基板と、前記回路基板と前記レーザダイオードドライバとを接続すると共に前記ライトストラテジ信号を伝送する伝送線路と、前記差動伝送ドライバ回路の出力の差動間に接続された差動間抵抗とを備えて成ることを特徴とする。
【発明の効果】
【００１２】
本発明によれば、DSP内でライトストラテジ信号を生成し、LDDへLVDS伝送する構成の低コスト化を図った光ディスク記録装置において、高速記録時でもエラーレートの少ない高品質な記録を実現することが出来る。
【発明を実施するための最良の形態】
【００１３】
本発明では上記課題を解決するために、レーザ光を発生させるLDおよび該LDを駆動するLDDを含むOPUと、レーザ駆動電流パターンを生成するライトストラテジ生成回路および生成されたライトストラテジ信号を伝送するためのLVDSドライバ回路を含むDSPと、該DSPが実装されかつ該ライトストラテジ信号を伝送するための線路を有する回路基板と、該回路基板と該LDDを接続し該ライトストラテジを伝送する伝送線路から成る光ディスク記録装置において、該LVDSドライバ回路の出力の差動間に抵抗を挿入する。
【００１４】
具体的には、差動間に挿入する抵抗の抵抗値は80〜500Ωとし、抵抗を挿入する位置は、回路基板上におけるライトストラテジ信号をLVDS伝送するための差動線路間であれば本発明の効果が得られるが、抵抗をDSP内に集積化、あるいはDSPに近い場所に挿入するほど高い効果が得られる。
【００１５】
以下、本発明を実施するための形態を各実施例として図面を参照しながら示す。
【実施例１】
【００１６】
図１は本発明における第１の実施例の回路構成を示すブロック図である。
【００１７】
図１の光ディスク記録装置において、変調された記録信号から３チャネルのライトストラテジ信号を生成するための生成回路３と、３チャネルのライトストラテジ信号をLVDS伝送するためのLVDSドライバ回路４を含むDSP２と、LVDSドライバ回路４の出力端の差動線路間に挿入された抵抗５が回路基板１上に実装されている。
【００１８】
LVDSドライバ回路４は、図９に示すようにCMOSで構成される電流源タイプの差動ドライバ回路で、入力ポート１８と、互いに逆位相の信号を出力する２つの出力ポート１９から成る。
【００１９】
OPU８には、３チャネルのライトストラテジ信号を受ける終端抵抗７と、それぞれのチャネルのオン・オフによって電流のスイッチング機能を有する３つの電流源１０と、それらの３つの電流を足し合わせて出力するLDD９、およびLDD９からの出力を受けて光ディスクにレーザを照射するLD１１が含まれている。
【００２０】
また、伝送路６は、回路基板１とOPU８の間を接続するものであり、フレキシブルプリントケーブル（FPC：Flexible Print Cable）、またはフレキシブルフラットケーブル（FFC：Flexible Flat Cable）が接続されている。
【００２１】
本実施例の上記構成によれば、LVDSドライバ回路４での反射波を抑えることでパターンジッタを低減し、エラーレートの少ない記録を実現出来るが、その理由、すなわち上記構成から上記効果がもたらされるメカニズムを以下に示す。
【００２２】
図１０に示すような、DSP２内でライトストラテジ信号を生成してLDD９へLVDS伝送する光ディスク記録装置において、高速記録時にエラーレートが悪化した原因を検討するために、LDD９へのライトストラテジ入力波形を評価した。図８(a)は、伝送特性評価のため、最小パルス幅2.39nsec、  29−１の擬似ランダム信号を伝送した時のアイパターンである。図８（a）から、アイ開口は良好で、十分な伝送帯域は確保出来ていることがわかる。したがって本アイ開口で観測されるジッタが原因でエラーレートが悪化していると推察できる。特に、記録速度を高速化すると、信号間隔、最小パルス幅が共に小さくなり、わずかなジッタでも図６(f)のようにライトストラテジ信号の品質が劣化する。LDDの最大入力感度を±１００ｍＶとし、この値のLDD入力振幅でパターンジッタを定義すると、図８(a)ではパターンジッタは173psecであった。これは、2.39nsecのパルス幅に比べ無視できない値となっている。
【００２３】
上記のパターンジッタの原因を解明するため、DSP２からLDD９までの伝送特性の実測値から、電圧利得の周波数特性を評価すると、図７−(1)に示す特性が得られた。図７−(1)は、高周波帯域で、周波数特性にうねりがあり、この周波数帯域で多重反射による干渉が起こっていると推察できる。
【００２４】
反射波が発生する原因として、伝送路６の不整合が考えられる。この伝送路６は、回路基板１基板上のライトストラテジ信号が伝送する配線、コネクタ、およびフレキシブルプリントケーブル（FPC：Flexible Print Cable）などのフレキシブルな素材で構成されている。折り曲げ可能なFPCは裏面にグラウンド面を設置することが不可能であるため、高周波に対応した完全なインピーダンス調整は難しく、コネクタ接続点での不整合などの理由から、多重反射が起こったと考えられる。
【００２５】
発生した反射波は、図９のLVDSドライバ回路４へと向かう。LVDSドライバ回路４は出力インピーダンスの高い電流源であるため、反射波はここで再び全反射され、LDD９へ向かう。このことから、多重反射した反射波がライトストラテジ信号と干渉し、ジッタが発生したと言える。
【００２６】
そこで本実施例では、LVDSドライバ回路４の出力端での反射を抑えることが出来れば、ライトストラテジ信号の良好な伝送が可能になると考え、LVDSドライバ回路４の出力の差動間に抵抗５を挿入した。図１１(b)〜(d)に示すアイパターンは、挿入する抵抗値が、500Ω程度から効果が現れ始め、線路インピーダンスと整合の取れる100Ωでジッタはほぼなくなったことを示している。また、図７−(2)〜(6)に示すように、高周波領域でのうねりも低減されることがわかる。
【００２７】
従って、本実施例によれば、LVDSドライバ回路４での反射波を抑えることでパターンジッタを低減し、エラーレートの少ない記録を実現出来るという効果がある。
【００２８】
次に、本実施例の上記の効果を確認するため、発明者らが独自に実施した実験の結果に基づき、抵抗５の抵抗値について、具体的な例を以って説明する。尚、ここで示す数値はあくまでも一例であって、本発明は必ずしもこれに限定されない。
【００２９】
図４、図５のような薄型光ディスク記録装置において各種のDVD-RWに最大8倍速で記録する場合、最小パルス幅2.39nsecのライトストラテジ信号を伝送することになる。このとき、ジッタは最小約0.1nsec以下が望まれるため、これを満たす抵抗値を挿入する必要がある。図８は、実際の光ディスク記録装置において、DSP2からOPU8までの、ライトストラテジ信号が伝送するLVDS伝送路の周波数特性を測定し、抵抗５の抵抗値を変化させたときのアイパターン（立上り、立下り時間0.5nsec、29−1の擬似ランダム信号）を評価したものである。LVDSドライバ回路の信号振幅を±３５０ｍＶ、LDDの最大入力感度が±１００ｍＶとして、±１００ｍＶでパターンジッタを定義すると、抵抗５がない場合、パターンジッタは173psecで、0.1nsecよりも大きな値となる。抵抗５の抵抗値を500Ωとすると、パターンジッタは113psecで、反射波低減の効果が現れる。更に、300Ωのときに83psec、100Ωのとき20psecで、目標とする0.1nsec以下となり、エラーレートの少ない高品質な記録を実現することが出来る。
【００３０】
以上のことから、差動間に挿入する抵抗５の抵抗値は、ドライブを構成する各部品のパラメータを考慮して、80〜500Ω程度の値を選んだとき、パターンジッタ低減に効果があると言える。
【００３１】
また、抵抗５の抵抗値をRdとした場合、図７に示す伝送特性から評価した電圧利得の周波数特性は、低域でのロールオフが改善されており、高域でのうねりも低減していることから、出力インピーダンスが高いLVDSドライバ回路での2次反射を吸収していることがわかる。しかし、LDD負荷抵抗７に流れる駆動電流は1/(1+RLDD/Rd)倍となり、Rdが小さすぎると、LDD９の駆動電流が小さくなってしまうので、抵抗５の抵抗値はLDDを駆動できるような抵抗値を選ばなければならない。具体的には、LVDSドライバ回路４の出力電圧が450mV（4.5mA）、LDD９の駆動電圧350mV（3.5mA）以上、LDD負荷抵抗７の抵抗値が100Ωの光ディスク記録装置である場合、LVDSドライバ回路４の出力側の差動線路間に挿入する抵抗５の値は300Ω程度が適切である。
【００３２】
ライトストラテジ信号を出力するLVDSドライバ回路の出力の差動間に上記のような条件を満たす抵抗５を挿入することで、伝送路６のインピーダンスばらつきによる反射波が低減され、その結果、それぞれのライトストラテジ信号の波形のパターンジッタを低減し、エラーレートの少ない記録を実現できる。
【実施例２】
【００３３】
本発明における第２の実施例を図２に示す。
【００３４】
図２は、図１の３チャネルのライトストラテジ信号を出力するDSP２の外側の差動線路間に挿入した抵抗５を、DSP２の内部のLVDSドライバ回路４の出力側の差動線路間に挿入、集積化したものであり、その他の構成は図１に示す第１の実施例と同じである。
【００３５】
本実施例によれば、抵抗をDSP２の内部に集積化した場合、外部の差動線路間に挿入するよりもLVDSドライバ回路４の出力側の反射点からの距離が縮まり、多重反射によるライトストラテジ信号への影響が小さくなる。また、回路基板１上のチップを省略することが出来、面積が縮小される利点もある。
【００３６】
また、本発明の第１の実施例と同様に、ライトストラテジ信号を出力するLVDSドライバ回路の出力の差動間に挿入した抵抗によって、ライトストラテジ信号の波形のパターンジッタを低減し、エラーレートの少ない記録を実現することができるという効果がある。さらに、その効果が得られる理由についても、第１の実施例と同様である。
【実施例３】
【００３７】
図３は本発明における第３の実施例の薄型光ディスク記録装置の回路構成を示すブロック図である。図４には、図３の簡略な斜視図を示す。図４における同じ部分、部品については同一符号を付与してある。
【００３８】
図３のように、第３の実施例は、第１の回路基板１からOPU８に至るまでの間に、モータを駆動する駆動回路を実装した第２の回路基板１２を具備し、第１の回路基板１からモータ用第２の回路基板１２までを、例えばFPC１５で構成される第１の伝送線路１４で接続すると共に、第２の回路基板１２からOPU８までを、例えばFPC１３２で構成される第２の伝送線路１３１で接続した薄型光ディスク記録装置であり、その他の構成は実施例１、２と同じである。
【００３９】
薄型光ディスク記録装置のU字FPC１５は、図４に示すようにケースに接しているため、わずかに結合容量を持つ。また、繰り返し使用するたびに、ケースとの接触具合が変わり、結合容量も変化するのでU字FPC１５の線路インピーダンスが変化する。このように、設計上予測することの出来ないインピーダンス変化により、U字FPC１５で反射波が発生する。また、薄型光ディスク記録装置は、トレイ引き出し部にOPU８が設置してあるため、DSP２からの距離が30cm〜40cmと長く、この伝送路中の不整合で発生する反射波がライトストラテジ信号に影響する。
【００４０】
しかし、図３のようにLVDSドライバ回路４の出力の差動間に抵抗５を挿入することにより、第１の実施例と同等の効果を得ることが出来る。また、本発明における第２の実施例のようにDSP２に集積化した抵抗により、第２の実施例と同等の効果を得ることが出来る。
【００４１】
従って、本実施例によれば、図３および図４に示すような薄型光ディスク記録装置のライトストラテジ信号伝送において、ライトストラテジ信号の波形のパターンジッタを低減し、エラーレートの少ない記録を実現することができるという効果がある。
【実施例４】
【００４２】
本発明の第４の実施例を図３および図５を用いて説明する。図５は、図４に示す本発明の第３の実施例におけるU字FPC１５を、FFC１７としたときの薄型光ディスク記録装置の簡略な斜視図で、その他の構成は第３の実施例と同等である。
【００４３】
FFC１７は、U字FPC１５に比べてインピーダンス調整が難しく、ケースとの結合容量も大きい。また、トレイを閉じた時に線路同士が接触し、ケースの金属部に上下を挟まれるため、更にインピーダンスが下がる。そのため、この伝送路は、製品によるケースとの接触具合のばらつきや、線路の結合具合のばらつきにより、インピーダンスの不整合が起こりやすい。このことから、図５に示す薄型光ディスク記録装置では、図５に示す薄型光ディスク記録装置よりも反射波が発生しやすくなり、その影響でパターンジッタが顕著に現れる傾向にある。
【００４４】
しかし、図３のようにLVDSドライバ回路４の出力の差動間に抵抗５を挿入することで、第１の実施例と同等の効果が得られる。また、本発明における第２の実施例のようにDSP２に集積化した抵抗により、第２の実施例と同等の効果が得られる。
【００４５】
従って、本実施例によれば、図３および図５に示すような薄型光ディスク記録装置のライトストラテジ信号伝送において、ライトストラテジ信号の波形のパターンジッタを低減し、エラーレートの少ない記録を実現することができるという効果がある。
【図面の簡単な説明】
【００４６】
【図１】DSP外部のLVDSドライバ回路の出力端の差動線路間に抵抗がある場合の本発明における３チャネルのライトストラテジ信号を用いたときのLVDS伝送系ブロック図である。
【図２】DSP内部のLVDSドライバ回路の出力端の差動線路間に抵抗がある場合の本発明における３チャネルのライトストラテジ信号を用いたときのLVDS伝送系ブロック図である。
【図３】伝送路中に第２の回路基板がある場合の本発明における３チャネルのライトストラテジ信号を用いたときのLVDS伝送系ブロック図である。
【図４】伝送路にFPCを用いた薄型光ディスク記録装置の斜視図である。
【図５】伝送路にFFCを用いた薄型光ディスク記録装置の斜視図である。
【図６】レーザダイオードドライバ(LDD)出力波形（記録波形）に対する記録マーク形状の例を示す図であると共に、ライトストラテジを適用したことにより記録波形およびそれに対応する記録マークにどのような影響を与えるかを示す図である。
【図７】抵抗値を変えたときのDSP-LDD間の伝送特性を示す図である。
【図８Ａ】抵抗なし（従来例）のときのLDD入力アイパターンを示す図である。
【図８Ｂ】抵抗値が500ΩであるときのLDD入力アイパターンを示す図である。
【図８Ｃ】抵抗値が300ΩであるときのLDD入力アイパターンを示す図である。
【図８Ｄ】抵抗値が100ΩであるときのLDD入力アイパターンを示す図である。
【図９】低電圧差動伝送(LVDS)ドライバ回路の構成例を示す図である。
【図１０】本発明を適用する前の従来の３チャネルのライトストラテジ信号のLVDS伝送系ブロック図である。
【図１１】従来のレーザダイオードドライバ（LDD）チップ内にライトストラテジ生成回路が設置されている光ディスク記録装置における記録伝送系のブロック図である。
【符号の説明】
【００４７】
１  第１の回路基板
２  信号処理LSI（DSP）
３  ライトストラテジ生成回路
４  LVDSドライバ回路
５  抵抗
６  第１の回路基板からOPUまでの伝送路
７  レーザダイオードドライバ(LDD)の負荷抵抗
８  光ピックアップ（OPU）
９  レーザダイオードドライバ（LDD）
１０  電流源
１１  レーザダイオード（LD）
１２  第２の回路基板
１３  第２の回路基板から光ピックアップ（OPU）までの伝送路
１４  第１の回路基板から第２の回路基板までの伝送路
１５  U字フレキシブルプリントケーブル（FPC）伝送路
１６  光ディスク
１７  フレキシブルフラットケーブル（FFC）伝送路
１８  LVDSドライバ回路の入力ポート
１９  LVDSドライバ回路の出力ポート。
【図１】
2009099233.tif 000003
【図２】
2009099233.tif 000004
【図３】
2009099233.tif 000005
【図４】
2009099233.tif 000006
【図５】
2009099233.tif 000007
【図６】
2009099233.tif 000008
【図７】
2009099233.tif 000009
【図８Ａ】
2009099233.tif 000010
【図８Ｂ】
2009099233.tif 000011
【図８Ｃ】
2009099233.tif 000012
【図８Ｄ】
2009099233.tif 000013
【図９】
2009099233.tif 000014
【図１０】
2009099233.tif 000015
【図１１】
2009099233.tif 000016